(57)【要約】    【課題】専用の連結具を用いることなく、多種多様のペンダントヘッドを装着可能なクラスプを提供する。    【解決手段】鎖状あるいは線状の装身具本体を環状に連結するためのクラスプにおいて、前記装身具本体の一側端部に設けられた第１留め具部と、前記装身具本体の他側端部に設けられた第２留め具部と、を備え、前記第１留め具部と第２留め具部とを互いに連結したときに、前記第１留め具部と第２留め具部とを略密着させた状態と、前記第１留め具部と第２留め具部との間に、ブローチあるいはペンダントヘッドなどの他の装身具を取付けるための間隙を形成した状態と、のうちから選択的に連結可能とした。【選択図】図２
2007136071.tif 000002
【特許請求の範囲】
【請求項１】
鎖状あるいは線状の装身具本体を環状に連結するためのクラスプにおいて、
前記装身具本体の一側端部に設けられた第１留め具部と、
前記装身具本体の他側端部に設けられた第２留め具部と、
を備え、
前記第１留め具部と第２留め具部とを互いに連結したときに、
前記第１留め具部と第２留め具部とを略密着させた状態と、
前記第１留め具部と第２留め具部との間に、ブローチあるいはペンダントヘッドなどの他の装身具を取付けるための間隙を形成した状態と、
のうちから選択的に連結可能としたことを特徴とするクラスプ。
【請求項２】
前記第１留め具部と第２留め具部とを互いを連結する連結ピンを備え、当該連結ピンに、前記第１留め具部及び／又は第２留め具部に係合する複数の係合部を形成し、前記第１留め具部と第２留め具部との間の間隙幅を調整自在としたことを特徴とする請求項１記載のクラスプ。
【請求項３】
前記第１留め具部及び／又は第２留め具部は、
外ケースと、同外ケース内に収納自在とした内ケースと、を備え、
これら内、外ケースを、基端部に設けた枢支部を介して先端部それぞれを揺動自在となし、しかも、両ケース間に配設した弾性体を介して両ケースを互いに離隔方向に付勢して組み付けるとともに、両ケースの先端部には、それぞれピン挿通部を形成したことを特徴とする請求項２記載のクラスプ。
【請求項４】
前記外ケース内に、前記連結ピンを案内するガイド部を設けたことを特徴とする請求項３記載のクラスプ。
【請求項５】
前記連結ピンは、前記第１留め具部又は第２留め具部のいずれかに固定されていることを特徴とする請求項２〜４のいずれか１項に記載のクラスプ。
【請求項６】
前記連結ピンを固着していない前記第１留め具部又は第２留め具部のいずれかに、前記連結ピンを押し出し方向に付勢する弾性体を設けたことを特徴とする請求項５記載のクラスプ。
【請求項７】
前記連結ピンは、前記第１留め具部又は第２留め具部の一方に摺動自在に取付けられていることを特徴とする請求項２〜４のいずれか１項に記載のクラスプ。
【請求項８】
前記連結ピンの基端部に抜け止め部を形成したことを特徴とする請求項７に記載のクラスプ。
【発明の詳細な説明】
【技術分野】
【０００１】
この発明は、ペンダントやネックレスなどのような鎖状あるいは線状の装身具本体を環状に連結するためのクラスプに関するものである。
【背景技術】
【０００２】
従来、鎖状あるいは線状の装身具としてペンダントやネックレスといった装身具が知られており、これらは、所謂クラスプ（留め具）を用いて環状に連結している。
【０００３】
また、例えばペンダントの場合、各種様々なデザインのペンダントヘッドが個別に販売されており、このペンダントヘッドを手持ちのペンダントヘッドに代えて、あるいはチェーンのみのネックレスに装着して、気分転換したり、例えば衣服に合わせて身に付けることがなされている。
【０００４】
また、ピン部材を備える装身具であるブローチをネックレスに装着できるように、かかるピン部材を有するブローチとネックレスとを簡単に連結することができるクラスプとして、連結具本体と、その連結具本体を前記環状装身具に取り付けるべく、前記環状装身具の前記留め具に係合する係合部とを備え、前記連結具本体は、前記ピン部材に、その長手方向へ移動することなく、あるいは、その長手方向への移動が制限されて、取り付けられる被取付部を有し、その被取付部を介して、前記ピン部材に、そのピン部材と交差するように取り付けられるとともに、その連結具本体の前記ピン部材よりも下方に位置する部分が、前記装身具の裏面と当接することによって、前記装身具が前記ピン部材を軸として、その軸回り方向に揺動するのを阻止するようにしたものが提案されている（例えば、特許文献１を参照。）。
【特許文献１】特開２００５−２６１８６５号公報
【発明の開示】
【発明が解決しようとする課題】
【０００５】
上述したように、多種のペンダントヘッドが流通しており、これを気に入ったネックレスなどに装着しようとした場合、ペンダントヘッド専用の連結具が必要となっていた。
【０００６】
また、上記特許文献１に記載のクラスプは、ピン部材を備えたブローチに対応したものであって、ペンダントヘッドに適用するには不向きである。
【０００７】
本発明は、上記課題を解決し、多種多様のペンダントヘッドを容易に装着可能としたクラスプを提供することを目的としている。
【課題を解決するための手段】
【０００８】
上記課題を解決するために、請求項１記載の本発明では、鎖状あるいは線状の装身具本体を環状に連結するためのクラスプにおいて、前記装身具本体の一側端部に設けられた第１留め具部と、前記装身具本体の他側端部に設けられた第２留め具部と、を備え、前記第１留め具部と第２留め具部とを互いに連結したときに、前記第１留め具部と第２留め具部とを略密着させた状態と、前記第１留め具部と第２留め具部との間に、ブローチあるいはペンダントヘッドなどの他の装身具を取付けるための間隙を形成した状態と、のうちから選択的に連結可能とした。
【０００９】
また、請求項２記載の本発明では、請求項１記載のクラスプにおいて、前記第１留め具部と第２留め具部とを互いを連結する連結ピンを備え、当該連結ピンに、前記第１留め具部及び／又は第２留め具部に係合する複数の係合部を形成し、前記第１留め具部と第２留め具部との間の間隙幅を調整自在とした。
【００１０】
また、請求項３記載の本発明では、請求項２記載のクラスプにおいて、前記第１留め具部及び／又は第２留め具部は、外ケースと、同外ケース内に収納自在とした内ケースと、を備え、これら内、外ケースを、基端部に設けた枢支部を介して先端部それぞれを揺動自在となし、しかも、両ケース間に配設した弾性体を介して両ケースを互いに離隔方向に付勢して組み付けるとともに、両ケースの先端部には、それぞれピン挿通部を形成したことを特徴とする。
【００１１】
また、請求項４記載の本発明では、請求項３記載のクラスプにおいて、前記外ケース内に、前記連結ピンを案内するガイド部を設けたことを特徴とする。
【００１２】
また、請求項５記載の本発明では、請求項２〜４のいずれか１項に記載のクラスプにおいて、前記連結ピンは、前記第１留め具部又は第２留め具部のいずれかに固定されていることを特徴とする。
【００１３】
また、請求項６記載の本発明では、請求項５記載のクラスプにおいて、前記連結ピンを固着していない前記第１留め具部又は第２留め具部のいずれかに、前記連結ピンを押し出し方向に付勢する弾性体を設けたことを特徴とする。
【００１４】
また、請求項７記載の本発明では、請求項２〜４のいずれか１項に記載のクラスプにおいて、前記連結ピンは、前記第１留め具部又は第２留め具部の一方に摺動自在に取付けられていることを特徴とする。
【００１５】
さらに、請求項８記載の本発明では、請求項７に記載のクラスプにおいて、前記連結ピンの基端部に抜け止め部を形成したことを特徴とする。
【発明の効果】
【００１６】
本発明では、鎖状あるいは線状の装身具本体を環状に連結するためのクラスプにおいて、前記装身具本体の一側端部に設けられた第１留め具部と、前記装身具本体の他側端部に設けられた第２留め具部と、を備え、前記第１留め具部と第２留め具部とを互いに連結したときに、前記第１留め具部と第２留め具部とを略密着させた状態と、前記第１留め具部と第２留め具部との間に、ブローチあるいはペンダントヘッドなどの他の装身具を取付けるための間隙を形成した状態と、のうちから選択的に連結可能としている。
【００１７】
したがって、例えばこのクラスプを用いたチェーン状のネックレスであれば、そのままネックレスとして身につけることができるとともに、ブローチあるいはペンダントヘッドなど、身に付けたい他の装身具があれば、かかるブローチやペンダントヘッドに設けられた連結具のサイズに拘わらず、特別な専用連結具などを用いることなく容易に前記ネックレスに取付けることができる。このように、気に入ったネックレスのチェーン部分などはそのままにして、ブローチやペンダントヘッドを、好みや服装などに合わせて、いつでも簡便にペンダントとして身に付けることができる。
【発明を実施するための最良の形態】
【００１８】
本実施形態に係るクラスプは、鎖状あるいは線状の装身具本体を環状に連結するためのクラスプにおいて、前記装身具本体の一側端部に設けられた第１留め具部と、前記装身具本体の他側端部に設けられた第２留め具部と、を備え、前記第１留め具部と第２留め具部とを互いに連結したときに、前記第１留め具部と第２留め具部とを略密着させた状態と、前記第１留め具部と第２留め具部との間に、ブローチあるいはペンダントヘッドなどの他の装身具を取付けるための間隙を形成した状態と、のうちから選択的に連結可能としたものである。
【００１９】
特に、本実施形態においては、鎖状あるいは線状の装身具本体を環状に連結するためのクラスプにおいて、前記装身具本体の一側端部に設けられた第１留め具部と、前記装身具本体の他側端部に設けられた第２留め具部と、これら第１留め具部と第２留め具部とを互いを連結する連結ピンと、からなり、前記連結ピンに、前記第１留め具部及び／又は第２留め具部に係合する複数の係合部を形成し、前記第１留め具部と第２留め具部とを前記連結ピンを介して互いに連結したときに、前記第１留め具部と第２留め具部とを略密着させた状態と、前記第１留め具部と第２留め具部との間に、ブローチあるいはペンダントヘッドなどの他の装身具を取付けるための間隙を形成した状態と、のうちから選択的に連結可能とし、しかも、前記第１留め具部と第２留め具部との間の間隙幅を調整自在としたことに特徴がある。
【００２０】
例えば、チェーンなどように紐体（装身具本体）などのみからなるネックレスや、ペンダントヘッドを設けたペンダントなどの前記紐体の一側端部に第１留め具部を、他側端部に第２留め具を設けるとともに、これら第１留め具部と第２留め具とを連結ピンを介して連結するようにしたクラスプであって、前記連結ピンに、前記第１留め具部及び／又は第２留め具部に係合する複数の係合部を形成し、前記第１留め具部と第２留め具部とを前記連結ピンを介して互いに連結したときに、両者を密着状態とすることができるほか、前記複数の係合部のうちいずれを第１留め具部及び／又は第２留め具部に係合させるかによって、第１留め具部と第２留め具部との間に、ブローチあるいはペンダントヘッドなどの他の装身具を取付けるための間隙幅を調整自在に形成可能としたことに特徴がある。
【００２１】
したがって、例えば気に入ったチェーンのみからなるネックレスであれば、そのままネックレスとして使用できる他、その他の装身具であるブローチやペンダントヘッドがあれば、これらに設けられた連結具などのサイズに拘わらず前記第１留め具部と第２留め具との間に取付けて、いつでも好みや服装などに合わせて簡便にペンダントとして身に付けることができる。
【００２２】
また、前記第１留め具部及び／又は第２留め具部は、外ケースと、同外ケース内に収納自在とした内ケースと、を備え、これら内、外ケースを、基端部に設けた枢支部を介して先端部それぞれを揺動自在となし、しかも、両ケース間に配設した弾性体を介して両ケースを互いに離隔方向に付勢して組み付けるとともに、両ケースの先端部には、それぞれピン挿通部を形成することができる。
【００２３】
すなわち、内外ケースを指先で摘むだけで弾性体に抗して内ケースが外ケース内に収まり、このときに、両者に形成したピン挿通部同士が重合して前記連結ピンを挿脱可能となすことができ、挿通状態で指を離せば、内、外ケースは互いに離隔方向に回動するので、連結ピンをしっかりと挟持することができる。しかも、連結ピンには前記係合部が形成されているので、連結ピンを介して第１留め具部と第２留め具部とが確実に連結される。
【００２４】
また、この場合、前記外ケース内に、前記連結ピンを案内するガイド部を設けることができ、かかるガイド部を設けることによって、連結ピンの挿通をより容易かつ確実に行えるようになる。
【００２５】
ところで、前記連結ピンは、前記第１留め具部又は第２留め具部のいずれかに固定させることができる。この場合、第１留め具と第２留め具部とを連結させた状態がより安定する。
【００２６】
また、このときに、前記連結ピンを固着していない前記第１留め具部又は第２留め具部のいずれかに、前記連結ピンを押し出し方向に付勢する弾性体を設けることができる。
【００２７】
すなわち、内外ケースを指で摘んでピン挿通部同士が重合すると、内外ケースによる連結ピンの噛み込みがなくなり、弾性体によって連結ピンが自動的に押し出されることになるので、クラスプの第１留め具部と第２留め具部とをワンタッチで分離することができ、利便性が向上する。
【００２８】
また、前記連結ピンは、前記第１留め具部又は第２留め具部の一方に摺動自在に取付けることも可能である。
【００２９】
すなわち、連結ピンを一方の留め具部内で摺動させることで、前述した第１留め具部と第２留め具部との間隙調整量をより大きくすることができ、より多様なペンダントヘッドやブローチを装着可能となる。
【００３０】
さらに、この場合、連結ピンを紛失したりしないように、前記連結ピンの基端部に抜け止め部を形成しておくことが好ましい。
【００３１】
以下、本実施形態に係るクラスプについて、図面に基づいてより具体的に説明する。図１は本実施形態に係るクラスプを備えたネックレスの説明図。図２は同クラスプを用いて他のペンダントヘッドを取り付けた状態を示す説明図である。
【００３２】
図１において、１はネックレスであり、このネックレス１は、チェーン状の装身具本体１０をクラスプ２によって環状に連結して着用するもので、クラスプ２は、装身具本体１０の一側端部に設けられた第１留め具部２ａと、前記装身具本体１０の他側端部に設けられた第２留め具部２ｂとを備えている。
【００３３】
本実施形態においては、前記第１留め具部２ａと第２留め具部２ｂとを略同一形状としており、しかも、両者の表側には所定のデザインを施してクラスプ２自体が飾りとしても機能するようにしている。したがって、第１留め具部２ａと第２留め具部２ｂとを密着させた状態で連結した通常の仕様状態であっても、クラスプ２そのものが美観を呈することから、図１に示すように、首の後ろに位置させるばかりでなく、前側に位置させて使用してもお洒落なネックレス１となすことができる。
【００３４】
かかるクラスプ２において、前記第１留め具部２ａと第２留め具部２ｂとを連結したときに、前記第１留め具部２ａと第２留め具部２ｂとを略密着させた状態と、前記第１留め具部２ａと第２留め具部２ｂとの間に、ブローチあるいはペンダントヘッドなどの他の装身具を取付けるための間隙Ｄを形成した状態と、のうちから選択的に連結可能としたことに特徴がある。
【００３５】
したがって、図２に示すように、前記間隙Ｄ部分に所望するペンダントヘッド３を適宜取付けることが容易に行え、同じネックレス１であっても、衣服や外出先などに合わせて手持ちのネックレス１とはイメージが全く異なる装身具を創出することができる。なお、本実施形態に係るクラスプ２は、必ずしもネックレス１のみではなく、予めペンダントヘッド３が設けられたペンダントに適用してもよく、多種多様のペンダントヘッド３を取り替えて身に付けることができる。
【００３６】
図２中、３０はペンダントヘッド３のヘッド本体であり、所定のデザインが施された宝飾部分である。また、３１はヘッド本体３０の上端に取付けられた連結リング、３２は同連結リング３１に連結した取付金具である。かかる取付金具３２を備えるものであれば、ペンダントヘッド３に代えてブローチなどの装身具を取付けることも可能である。
【００３７】
すなわち、本実施形態に係るクラスプ２は、前記取付金具３２の幅に合わせた間隙Ｄを第１留め具部２ａと第２留め具部２ｂとの間に形成可能として、ネックレス１として使用する以外に、特に専用連結具などを用意することなく、ペンダントヘッド３を備えたペンダントにきわめて簡単に変容させて使用することが可能となっている。
【００３８】
（第１の実施形態）
以下、第１の実施形態に係るクラスプ２について、図３〜図５を参照しながら詳述する。図３は第１留め具部（第２留め具部）の分解斜視図、図４は外ケースの内面を示す説明図、図５は第１留め具部と第２留め具部との連結状態及び離脱状態を示す説明図である。
【００３９】
本実施形態に係るクラスプ２は、装身具本体１０の一側端部に設けられた第１留め具部２ａと、前記装身具本体の他側端部に設けられた第２留め具部２ｂとに加え、これら第１留め具部２ａと第２留め具部２ｂとを互いを連結する連結ピン４を備えて構成される。
【００４０】
そして、前記連結ピン４に、前記第１留め具部２ａ及び／又は第２留め具部２ｂに係合する複数の係合部としての第１〜第３係合溝４１ａ〜４１ｃを形成し、前記第１留め具部２ａと第２留め具部２ｂとを連結ピン４を介して互いに連結したときに、第１留め具部２ａと第２留め具部２ｂとの間に、ブローチあるいはペンダントヘッド３などの他の装身具を取付けるための間隙Ｄを形成可能としている。
【００４１】
なお、本実施形態における連結ピン４は、略円柱状に形成されるとともに、第１留め具部２ａ（若しくは第２留め具部２ｂ）内に常時収容された状態となる被収容部４ａと、第１留め具部２ａと第２留め具部２ｂとが解き放されたときに露出状態となる係合溝刻設部４ｂとに大きく区画されており、前記被収容部４ａ側に近接した位置から順に連結ピン４の軸方向に直行する方向で、第１〜第３係合溝４１ａ，４１ｂ，４１ｃが前記軸方向に沿って適宜間隔をあけて刻設されている。なお、刻設する個数は、３個に限定されるものではなく、適宜設定することができる。また、連結ピン４としては、円柱状に限定されるものではなく、三角柱あるいは四角柱などの多角柱状に形成してもよいし、あるいは板状に形成したものでもよい。
【００４２】
また、図示するように、前記第１留め具部２ａ及び第２留め具部２ｂは、一面開口の箱状に形成した外ケース２１と、同外ケース２１内に収納自在とした同じく一面開口の箱状とした内ケース２２とを備えている。
【００４３】
そして、これら内ケース２２及び外ケース２１の側面基端部２１ａ（２２ａ）に設けた枢支ピン挿通孔２１ｂ（２２ｂ）に、枢支ピンを兼用する本体連結部材２３の線状部分を挿通して枢支部２ｃを形成し、この枢支部２ｃを介して、外ケース２１及び内ケース２２それぞれの先端部を揺動自在とするとともに、両ケース２１，２２の間にスプリング２４を配設して、このスプリング２４によって、両ケース２１，２２を互いに離隔方向に付勢した状態で組み付けた構成としている。
【００４４】
図３中、２３ａは前記本体連結部材の先端に形成したリング部であり、このリング部２３ａとネックレス１の装身具本体１０の端部とが連結される。また、２５は外ケース２１の先端面部に、２６は内ケース２２の先端面部に形成した円状のピン挿通部であり、内ケース２２に形成したピン挿通部２６の縁部が前記各係合溝４１ａ〜４１ｃに係合可能としている。
【００４５】
上述の構成により、第１留め具部２ａ及び第２留め具部２ｂは、内／外ケース２２，２１を指先で摘むだけでスプリング２４に抗して内ケース２２が外ケース２１内に収まり、このときに、両ケース２１，２２に形成したピン挿通部２５，２６同士が重合して前記連結ピン４を挿脱可能となすことができ、挿通状態で指を離せば、内／外ケース２２，２１は互いに離隔方向に回動するので、連結ピン４をしっかりと挟持することができる。しかも、連結ピン４には前記第１〜第３係合溝４１ａ〜４１ｃが形成されているので、連結ピン４を介して第１留め具部２ａと第２留め具部２ｂとを確実に連結することができる。
【００４６】
また、本実施形態では、図４に示すように、前記外ケース２１内には、前記連結ピン４を案内する半割り円筒状のガイド部２７を前記ピン挿通部２５に中心を合わせて設けており、かかるガイド部２７を設けることによって、連結ピン４の挿通をより容易かつ確実に行えるようにしている。
【００４７】
ここで、第１留め具部２ａと第２留め具部２ｂとの係合状態について、図５を参照しながら説明する。
【００４８】
図５（ａ）は、第１留め具部２ａと第２留め具部２ｂとが離脱している状態であり、連結ピン４の第１係合溝４１ａと第１留め具部２ａの内ケース２２のピン挿通孔２６の縁部とが係合している。つまり、この例では、第１留め具部２ａ側に連結ピン４が保持されており、第１留め具部２ａと第２留め具部２ｂとの係脱は、第２留め具部２ｂの操作によって行うようにしている。
【００４９】
すなわち、第２留め具部２ｂの内／外ケース２２，２１を指で押圧すると、ピン挿通孔２５，２６同士が重合して連結ピン４を受入可能状態となる。かかる状態において、第２留め具部２ｂ内に挿通した連結ピン４の第３係合溝４１ｃに内ケース２２のピン挿通孔２６の縁部を係合させると、図５（ｂ）に示すように、第１留め具部２ａと第２留め具部２ｂとが連結ピン４を介して連結状態となるとともに、第１留め具部２ａと第２留め具部２ｂとの間には間隙Ｄが形成される。
【００５０】
したがって、図２に示したように、ネックレス１にペンダントヘッド３の取付金具３２を取り付ける場合は、図５（ａ）に示した状態において、先ず、連結ピン４にペンダントヘッド３の取付金具３２を挿通し、この状態で第３係合溝４１ｃを第２留め具部２ｂに係合させればよい。
【００５１】
図５（ｃ）は、第１留め具部２ａと第２留め具部２ｂとを略密着状態に連結した状態を示しており、この場合は、第２係合溝４１ｂが第２留め具部２ｂ側に係合している。
【００５２】
（第２の実施形態）
次に、図６を参照しながら第２の実施形態に係るクラスプ２について説明する。本実施形態が第１の実施形態と異なるのは、連結ピンの構成であり、連結ピンを第１留め具部又は第２留め具部のいずれかに固定させたものとしている。なお、その他の構成については第１の実施形態と略同様であるので、本実施形態では、第１の実施形態と同一構成要素については同一符号を用いてその詳細な説明は省略する。
【００５３】
本実施形態では、連結ピン５を第１留め具２ａに一体的に形成してものとし、２個の係止溝４１ｄ，４１ｅを設けている。
【００５４】
すなわち、図示するように、第１留め具２ａを構成する外ケース２１の前側端面から連結ピン５を突設して、第２留め具部２ｂ側に前記２個の係止溝４１ｄ，４１ｅのいずれかを係合可能としている。
【００５５】
かかる構成とすれば、第１留め具２ａについては、特に連結ピン５を外ケース２１と内ケース２２との間で係止する必要がないため、前記スプリング２４やガイド部２７は廃止することができる。また、内ケース２２はガタつきを無くすために、外ケース２１に嵌合するなどして固定しておくとよい。なお、本実施形態では、第２留め具部２ｂの構成は第１の実施形態と全く同様としている。
【００５６】
かかる構成であっても、図示した状態のように、第１留め具部２ａと第２留め具部２ｂとを略密着した状態で連結することができるほか、係止溝４１ｅを第２留め具部２ｂ側に係止させれば、ペンダントヘッド３を取付けるだけの所定の間隔Ｄを第１留め具部２ａと第２留め具部２ｂとの間に形成することができる。
【００５７】
図７は第２の実施形態の変形例であり、前記連結ピン５を固着していない第２留め具部２ｂに、前記連結ピン５を押し出し方向に付勢するコイルスプリング２８を設けた構成としている。ここでは、このコイルスプリング２８を、ガイド部２７内に配設し、スプリング基端部を内ケース２２の終端面に当接させる一方、先端部にピン当接体２８ａを設けている。
【００５８】
かかる構成により、第１留め具部２と第２留め具部２ｂとを連結する場合、連結ピン５を第２留め具部２ｂに挿通すると、連結ピン５の先端がピン当接体５ａと当接しながらコイルスプリング２８を圧縮していく。
【００５９】
図７（ａ）に示すように、コイルスプリング２８が圧縮された連結状態において、第２留め具部２ｂの内／外ケース２２，２１を指で摘んでピン挿通部２５，２６同士を重合状態にすると、内／外ケース２２，２１による連結ピン５の噛み込みがなくなり、図７（ｂ）に示すように、コイルスプリング２８が伸張して連結ピン５が第２留め具部２ｂ内から自動的に押し出されることになる。このように、クラスプ２の第１留め具部と第２留め具部とをワンタッチで分離することができ、利便性が向上する。
【００６０】
なお、この例によれば、第２留め具部２ｂ内にコイルスプリング２ｂを配設する空間を設けるために、第２留め具部２ｂ自体の長さを、先の実施形態に係る第２留め具部２ｂよりも長くしている。そして、かかる第２留め具２ｂの大きさに合わせるために、第１留め具部２ａについても第２留め具部２ｂと同様な長さとして、両者を連結したときに見栄えが損なわれることを防止している。
【００６１】
（第３の実施形態）
次に、図８を参照しながら第３の実施形態に係るクラスプ２について説明する。本実施形態が第１の実施形態と異なるのは、これも連結ピンの構成であり、連結ピンを第１留め具部又は第２留め具部のいずれか一方に摺動自在に取付け固定したことに特徴がある。なお、その他の構成については第１の実施形態と略同様であるので、本実施形態では、第１の実施形態と同一構成要素については同一符号を用いてその詳細な説明は省略する。
【００６２】
図８に示すように、本実施形態に係る連結ピン６は、第１留め具部２ａに摺動自在に配設されており、かかる構成として連結ピン６を第１留め具部２ａ内で摺動させることによって、第１留め具部２ａと第２留め具部２ｂとの間隙Ｄの調整幅をより大きくしている。したがって、より多種多様なペンダントヘッド３やブローチなどの装着が可能となる。
【００６３】
また、この場合、連結ピン６を紛失したりすることがないように、連結ピン６の基端部には、抜け止め部６０を形成している。この抜け止め部６０は、内／外ケース２２，２１に形成したピン挿通孔２６，２５の直径よりも大きな皿状に形成している。すなわち、あたかも釘頭のような形状としている。
【００６４】
さらに、この場合、前記抜け止め部６０と係合溝４１ｄとの間に小ピッチで多数の係合部（図示せず）を形成しておくことができ、連結ピン６を第１留め具部２ａ内で摺動させたときに任意の箇所で連結ピン６を第１留め具部２ａに係合保持可能となる。
【００６５】
図８（ａ）は、第１留め具部２ａと第２留め具部２ｂとを離脱した状態である。
【００６６】
図８（ｂ）は、連結ピン６の先端側に位置する係合溝４１ｅを第２留め具部２ｂに係合した状態を示しており、第１留め具部２ａと第２留め具部２ｂとの間には間隙Ｄが形成される。
【００６７】
図８（ｃ）は、図８（ｂ）の状態から、第１留め具部２ａの内／外ケース２２，２１を指で押さえて連結ピン６の係合状態を解除し、そのまま第２留め具部２ｂを引っ張ると、連結ピン６が第１留め具部２ａから引き出されて、前記間隙Ｄよりも広幅の間隙Ｄ’が生じることになる。このとき、連結ピン６を最大限引き出しても、抜け止め部６０によって、第１留め具部２ａから脱落するおそれはない。
【００６８】
このように、本実施形態によれば、第１留め具部２ａと第２留め具部２ｂとの間隙調整幅がより大きくなり、様々なペンダントヘッド３やブローチの取付金具３２への対応が行える。
【００６９】
図８（ｄ）は、第１留め具部２ａと第２留め具部２ｂとを略密着状態で連結した状態を示しており、この場合のクラスプ２の全長としては、図５（ｃ）で説明した第１の実施形態の場合と略同長さである。すなわち、本実施形態によれば、クラスプ２の大型化を避けながら、間隙幅調整量をより大きくすることが可能となる。
【００７０】
以上、実施形態を通して本発明を説明してきたように、例えば、図１に示したチェーン（装身具本体１０）のみからなるネックレス１とその他のペンダントヘッド３やブローチがあれば、チェーンのみからなるネックレス１としてそのまま使用できる他、ペンダントヘッド３を簡単にネックレス１に装着してペンダントとして使用することもできる。しかも、ペンダントヘッド３に設けられた取付金具３２の幅に合わせた間隙Ｄをクラスプ２の第１留め具部２ａと第２留め具部２ｂとの間に形成することができるので、多種多様なペンダントヘッド３（若しくは他のブローチ）に対応でき、いつでも好みや服装などに合わせて簡便にペンダントとして身に付けることができる。
【００７１】
なお、本発明は上述の各実施形態に限定されるものではなく、特許請求の範囲に記載された内容から逸脱することのない限り、本発明に含まれるものである。例えば、クラスプ２（第１留め具部２ａ及び第２留め具部２ｂ）や装身具本体１０の形状やデザインなどは適宜設計可能である。
【図面の簡単な説明】
【００７２】
【図１】実施形態に係るクラスプを備えたネックレスの説明図である。
【図２】同クラスプを用いて他のペンダントヘッドを取り付けた状態を示す説明図である。
【図３】第１留め具部（第２留め具部）の分解斜視図である。
【図４】外ケースの内面を示す説明図である。
【図５】第１留め具部と第２留め具部との連結状態及び離脱状態を示す説明図である。
【図６】第２の実施形態に係るクラスプの説明図である。
【図７】同クラスプの変形例を示す説明図である。
【図８】第３の実施形態に係るクラスプの説明図である。
【符号の説明】
【００７３】
１  ネックレス
２  クラスプ
２ａ  第１留め具部
２ｂ  第２留め具部
３  ペンダントヘッド
４，５，６  連結ピン
１０  装身具本体
２１  外ケース
２２  内ケース
２５，２６  ピン挿通孔
４１ａ〜４１ｄ  係合溝
【図１】
2007136071.tif 000003
【図２】
2007136071.tif 000004
【図３】
2007136071.tif 000005
【図４】
2007136071.tif 000006
【図５】
2007136071.tif 000007
【図６】
2007136071.tif 000008
【図７】
2007136071.tif 000009
【図８】
2007136071.tif 000010